(57)【特許請求の範囲】
【請求項１】
予め定められたメッシュシート上で撮影された魚の画像が撮像手段を用いてデジタル符号化され、前記デジタル符号化された魚の画像から魚拓イメージを生成して出力するプロセス部を有し、
前記プロセス部は、
前記メッシュシートのメッシュを検出し、当該メッシュから撮像された魚の画像を原寸大に認識し、プリンタの解像度にあわせた画素数のメモリエリアに画像情報を格納し、更に当該画像情報を複数のブロックに分割するメッシュ化手段と、
前記分割されたブロック単位に画像からシート及びメッシュの着色部分を取り除く処理を行う部分補正手段と、
前記部分補正手段で処理された画像について特定値以上の画素値を抽出することで魚の形状を抽出する形状検出手段と、
前記抽出された魚の画像の画素を多階調化するグレースケール処理手段と、
前記多階調化された画像のエッジを強調するエッジ強調処理手段と、
前記エッジ強調された画像のトーンを前記ブロック毎に補正するトーン補正手段と、
ユーザからの入力に従って、前記トーン補正された画像をプリンタに出力するリアルモード、若しくは、前記トーン補正された画像を再度前記グレースケール処理手段、前記エッジ強調処理手段、前記トーン補正手段を用いて淡く加工した画像をプリンタに出力する魚拓モードが選択され、選択されたモードに従って画像に加工を施す編集手段とを備えることを特徴とする魚拓システム。
【請求項２】
編集手段は、プリンタ出力の際には、ＲＧＢの曲線に補正を施した上でＹＭＣＫに変換することを特徴とする請求項１記載の魚拓システム。
【請求項３】
プロセス部に、落款の印影を格納し、特定のパスワードの入力に応じて、魚の画像がプリンタで印刷される際に、前記印影を指定された箇所に印刷させる電子印鑑を設けたことを特徴とする請求項１又は２記載の魚拓システム。
【発明の詳細な説明】
【０００１】
【発明の属する技術分野】
本発明は、釣った魚の魚拓を作成するための装置に係り、特に美しい魚拓を容易に作成することができる魚拓システムに関する。
【０００２】
【従来の技術】
魚拓は、魚釣りにおいて、釣った魚の記録を保存すると同時に、魚拓された魚を真に所持する者が釣ったことを証明するための証明書としても用いられている。
そして、魚拓は、魚の表面にある鱗や鰭等にあるような細かい模様までも写し取るようにしたもので、その作業は技巧的であり、経験的技術によって作成されるものであって、従って魚拓を作成する専門の職人が存在している。
【０００３】
また、近年の釣りの傾向として、釣った魚を生かしたまま放す、いわゆる「キャッチ・アンド・リリース」を行う者が多いため、魚拓を魚が生きている状態で作成したいという要求も多い。
【０００４】
以下、従来の魚拓の作成方法について説明する。
従来、魚拓の作成は、専門の職人が魚の表面に適度な濃度の墨を塗布してから、和紙を押しつけて魚の形を写し取り、更にその作業を行った職人が落款を捺印して作成するようになっている。
【０００５】
【発明が解決しようとする課題】
しかしながら、上記従来の魚拓の作成方法では、素人が行うと、鱗や鰭等におけるような細かい模様までも写し取ることができず、また、専門家に依頼するとコストがかかり、さらに、例えばキャッチ・アンド・リリースで釣りを楽しむ場合には、魚を生かしたまま魚拓を作成することは困難であり、容易に魚拓を作成できないという問題点があった。
【０００６】
本発明は上記実情に鑑みて為されたもので、容易に魚拓を作成することができる魚拓システムを提供することを目的とする。
【０００７】
【課題を解決するための手段】
上記従来例の問題点を解決するための本発明は、魚拓システムにおいて、予め定められたメッシュシート上で撮影された魚の画像が撮像手段を用いてデジタル符号化され、前記デジタル符号化された魚の画像から魚拓イメージを生成して出力するプロセス部を有し、前記プロセス部は、前記メッシュシートのメッシュを検出し、当該メッシュから撮像された魚の画像を原寸大に認識し、プリンタの解像度にあわせた画素数のメモリエリアに画像情報を格納し、更に当該画像情報を複数のブロックに分割するメッシュ化手段と、前記分割されたブロック単位に画像からシート及びメッシュの着色部分を取り除く処理を行う部分補正手段と、前記部分補正手段で処理された画像について特定値以上の画素値を抽出することで魚の形状を抽出する形状検出手段と、前記抽出された魚の画像の画素を多階調化するグレースケール処理手段と、前記多階調化された画像のエッジを強調するエッジ強調処理手段と、前記エッジ強調された画像のトーンを前記ブロック毎に補正するトーン補正手段と、ユーザからの入力に従って、前記トーン補正された画像をプリンタに出力するリアルモード、若しくは、前記トーン補正された画像を再度前記グレースケール処理手段、前記エッジ強調処理手段、前記トーン補正手段を用いて淡く加工した画像をプリンタに出力する魚拓モードが選択され、選択されたモードに従って画像に加工を施す編集手段とを備えることを特徴としており、容易に魚拓を作成できる。
【０００８】
上記従来例の問題点を解決するための本発明は、上記魚拓システムにおいて、編集手段は、プリンタ出力の際には、ＲＧＢの曲線に補正を施した上でＹＭＣＫに変換することを特徴としており、プリンタ出力の際にフラットに補正できる。
【００１１】
上記従来例の問題点を解決するための本発明は、上記魚拓システムにおいて、プロセス部に、落款の印影を格納し、特定のパスワードの入力に応じて、魚の画像がプリンタで印刷される際に、前記印影を指定された箇所に印刷させる電子印鑑を設けたことを特徴としており、パスワード入力により魚拓への落款の印影を印刷することで、魚拓作成者を資格のある第三者とすれば魚拓作成の信頼性を向上できる。
【００１２】
【発明の実施の形態】
本発明の実施の形態を図面を参照しながら説明する。
本発明の実施の形態に係る魚拓システム（本システム）は、予め定められたシート上で写真撮影された魚の映像に画像処理を施し、和紙等に魚拓イメージを印刷することによって容易に魚拓を作成するものであり、更に資格ある第三者が認証の落款を押印することで作成された魚拓の信頼性を向上させることができるものである。
【００１３】
本システムを図１を使って説明する。図１は、本発明に係る魚拓システムの構成ブロック図である。
本システムは、図１に示すように、撮像部１と、プロセス部２とから基本的に構成されている。そして、撮像部１は、撮像手段１１と、シート１２とから構成されており、プロセス部２は、画像処理器３と、電子印鑑２１と、プリンタ２２とから構成されている。
【００１４】
また、画像処理器３は、メッシュ化手段３１と、部分補正手段３２と、形状検出手段３３と、グレースケール（ＧＳ）処理手段３４と、エッジ強調処理手段３５と、トーン補正手段３６と、編集手段３７とから構成されている。
【００１５】
本システムの各部を以下具体的に説明する。
撮像部１は、魚を撮影した画像をデジタル信号としてミニディスク（ＭＤ）又はキャッシュメモリ等に記録するものである。
そして、プロセス部２は、撮像部１で作成され、ＭＤ等に記録されたデジタル信号の画像情報を画像処理し、魚拓イメージを作成して印刷物に出力するものである。
尚、撮像部１と、プロセス部２とは、現実には有線又は無線によって接続され、データ転送を行ってもよいが、ここでは撮像部１を携帯できるように、ＭＤ等に撮像した映像を格納するようにしている。
【００１６】
そして、撮像部１の撮像手段１１は、例えば、デジタルカメラであり、シート１２上に載せられた魚を撮影し、デジタルデータに変換して、その画像情報をＭＤ等に格納するものである。
尚、撮像手段１１のデジタルカメラに代わるものとしては、３次元スキャナ等であっても構わない。さらに、１眼レフカメラ等で撮影された魚の形状をスキャナで読み込むようになっている装置であってもよい。
【００１７】
シート１２は、図２に示すように、数センチメートル毎にメッシュを刻んだシートであり、この上に魚を載せるものである。図２は、シート１２の表面の説明図である。
但し、シート１２は、本システムを信頼性のあるものとするために、特定の業者が発行するシートとする方が望ましく、従って、本シートに特定の色又は模様が施され、特定の業者が提供するシートであることを示すマークが付されているようにした方がよい。
また、魚との色合いの関係から、シート１２及びメッシュには着色した方が魚の形状を検出・抽出する場合に好適である。
【００１８】
プロセス部２の電子印鑑２１は、ユーザがパスワードを入力することによって、予め格納されている印鑑の印影を文書の指定された位置に表示し、魚拓イメージの出力と共にその印影を印刷させるものである。ここで、パスワード入力を条件としているのは、魚拓作成を予め認証された人間にのみ許可することで、魚拓作成の信頼性を向上させるためである。具体的には、プロセス部２を備えた陸上の釣具店等で認証された第三者によって魚拓を作成してもらうためである。
プリンタ２２は、和紙に魚拓のイメージ及び印影を印刷するプリンタである。
【００１９】
そして、プロセス部２の画像処理器３は、魚の形状から画像処理を施して魚拓のイメージを作成するものである。以下、具体的に説明する。
画像処理器３におけるメッシュ化手段３１は、ＭＤ等に記録された画像情報から、魚の背景として撮影されているシート１２のメッシュを検出し、それを利用して、画像情報を原寸大のイメージとしてメモリ上に格納する。この手法は、取り込んだ画像からメッシュサイズを認識し、そのメッシュサイズに対応したスケールを用いてイメージを格納するものである。
【００２０】
そして、メッシュ化手段３１は、メモリ上に格納した画像を数センチメートル角、例えば２センチメートル角のブロックに分割するものである。例えば、画像情報が、４０センチメートル×２０センチメートルであるとすると、２００のブロックに分割して、部分補正手段３２に出力するものである。
【００２１】
部分補正手段３２は、トーンの部分補正を行うもので、シート１２及びメッシュは着色されていることを用いて、当該着色部分を取り除く処理を行うものである。具体的には、シート及びメッシュの色と同一の色が画像上に存在する部分を検出し、検出した部分を例えば白色に置換することで着色部分を取り除くことができるものである。
【００２２】
形状検出手段３３は、部分補正手段３２から入力される画像から、魚の形状を検出するものであり、具体的には、入力された画像を内部のメモリに格納し、そのメモリをスキャンして特定の値以上であるかどうかを判定し、特定値以上の画素値を抽出することで魚の形状が検出されるものである。
【００２３】
ＧＳ処理手段３４は、抽出された魚の形状の画像内の各画素を多階調化するもので、例えば、各画素を２５６段階に分類し、２５６階調のグレースケールの値に変換する処理を行うものである。
【００２４】
エッジ強調処理手段３５は、ＧＳ処理手段３４で処理された画像について、明暗を明確にする処理を行って画像のエッジを強調する処理を行うものである。具体的には、基準となる特定値を予め複数準備しておき、当該特定値と画素値との差が一定以上であれば当該画素を黒（エッジ強調）又は白（アンエッジ強調）にすることで、明暗を区別し、更にこの処理を繰り返すことにより、白っぽい箇所は白く、黒っぽい箇所は黒くなり、画像のエッジが強調されるものである。
【００２５】
トーン補正手段３６は、エッジ強調処理手段３５で処理された画像に対して、撮影の際のライティングによる画像の光沢の斑を補正するために、入力された複数のブロックの画素毎に色情報をＨＳＢ値に変換し、ＨＳＢ値の「明るさ」の値の代表値を各ブロック毎に選択し、各ブロック毎の代表値の平均の「明るさ」を算出し、画像情報に含まれているすべての画素の「明るさ」の値を当該算出した平均の「明るさ」に置き換えるものである。ここでＨＳＢ値とは、色相（ＨＵＥ）、彩度（ＳＡＴＵＲＡＴＩＯＮ）、明るさ（ＢＲＩＴＥＮＥＳＳ）の３つの値のことであり、この３つの値によって一つの色を表現するものである。
【００２６】
そして、トーン補正手段３６は、ブロックを再び集積してもとの画像を構成し、編集手段３７に出力するものである。
【００２７】
編集手段３７は、トーン補正手段３６から入力された画像を、ユーザからの入力に従って、加工を施すものである。
ここで、この編集手段３７は、魚拓モードとリアルモードの２つのモードを備え、いずれかのモードを選択できるようになっている。リアルモードとは、トーン補正手段２６から入力された画像をそのままプリンタ２２に出力するモードであり、比較的鮮明な画像が得られるものである。また、魚拓モードとは、トーン補正手段３６から入力される画像を再度ＧＳ処理手段３４、エッジ強調処理手段３５、トーン補正手段３６を用いてもっとグレースケールをかけて、白黒を明確化して墨絵ぽっく、淡い感じの画像にしたものである。
尚、編集手段３７は、パソコンと、パソコン上で画像を描画するためのペイント用ソフトウエアの組み合わせであっても構わない。
【００２８】
次に、本システムの動作について、釣り人が海釣りの釣り船上へ撮像部１を携帯する場合を例にとって説明する。尚、プロセス部２は、陸上の釣具店等に設置されているものとする。
魚を釣り上げたときに釣り人は、その船上で、釣り上げた魚をシート１２上に載せ、撮像手段１１で撮影を行う。すると、ＭＤ等に撮像手段１１が撮像した画像が記録される。
【００２９】
釣り人は、釣り船から下船してから、ＭＤ等をプロセス部２を所有している釣具店へ持参し、釣具店の店員が、そのＭＤ等に記録された魚の映像からプロセス部２によって魚拓を作成する。
【００３０】
具体的には、プロセス部２の画像処理器３のメッシュ化手段３１が、ＭＤ等に記録された画像情報を読み出して、魚の背景になっているシート１２のメッシュを検出し、そのメッシュから魚の大きさを求め、プリンタ２２の解像度にあわせた画素数のメモリエリアに画像情報を格納する。例えば、プリンタ２２の解像度が６００ｄｐｉであり、魚の体長が６インチ（約１５センチメートル）、幅が２インチ（約５センチメートル）である場合には、３６００ドット×１２００ドットの画素領域が確保され、そのメモリエリアに魚の画像情報が格納される。
【００３１】
そして、メッシュ化手段３１によって、画像は、例えば１インチ×１インチ（約２センチメートル角）の１２のブロックに分割され、出力される。
更に、部分補正手段３２が、シート１２及びメッシュの着色部分を取り除く処理を行い、形状検出手段３３が、魚の形状を検出・抽出し、ＧＳ処理手段３４が、魚形状の画素の多階調化を行い、エッジ強調処理手段３５が、明暗を明確にするエッジ強調処理を行い、トーン補正手段３６が、撮影の際のライティングによって生じた画像の光沢の斑を各ブロックの明るさの値を平均化して補正する。
【００３２】
そして、編集手段３５が、トーン補正化手段３６から入力された画像情報をリアルモード又は魚拓モードのいずれかを用いて加工する。その加工としては、具体的には、マウス等を用いて、着色する等が為されるものである。
そして、魚拓を作成している釣具店の店員が電子印鑑２１を用いて適当な位置に捺印し、プリンタ２２を用いて和紙にプリントする。
【００３３】
ここで、プリンタ出力の際には、ＲＧＢのγ曲線に補正を施した上でＹＭＣＫに変換するようになっている。
例えば、スキャナー等の撮像手段では、γ曲線により波長に合わせたデータを一般的に目に見えるように偏光フィルタを掛けており、ディスプレイに魚のイメージを表示する際には、取り入れたγ曲線の逆の関数を掛けてフラットに補正して表示するようになっており、また、プリンタ出力の際にも同様にγ曲線の補正を行うものである。
【００３４】
以下、ＹＭＣの元情報を用いてプリンタ２２側にリアルに近い色となるＹ′Ｍ′Ｃ′を作成する式を示す。
ａＹ−ｂＭ−ｃＣ＝Ｙ′
ａＭ−ｂＹ−ｃＣ＝Ｍ′
ａＣ−ｂＭ−ｃＹ＝Ｃ′
ここで、ａ，ｂ，ｃは、カラーマッチングを行うための色見情報であり、装置に応じて任意の値が設定される。
【００３５】
尚、プリンタにフルカラーのプリンタを用いて、ＲＧＢを各色２５６階調で用紙等に出力するようにしてカラー印刷させることもできる。
【００３６】
また、釣った魚の目方は、まず、シート１２に記載しておき、上記魚拓システムを用いて魚拓を作成する際に、その目方を読み取って入力し、プリンタ２２の出力時に和紙に印刷するようになっている。
【００３７】
本実施の形態の魚拓システムによれば、画像処理によって自動的に魚拓の画像を生成しているので、素人でも美しく魚拓を作成することができ、また、魚を釣り上げたその場で撮影できるように撮像手段１１のみを切り離して携帯することもでき、更に、電子印鑑２１を用いて認定を行うことができる魚拓システムとしているので、美しい魚拓を容易に作成できるという効果がある。
【００３８】
また、上記実施の形態の魚拓システムでは、撮像した魚の形状からプリンタにて魚拓を印刷するようにしたが、更にオプションとして彫刻機を設け、魚の形状を彫刻するようにすることもできる。尚、彫刻機で彫刻を作成する方法は、一般的にスキャナで画像をパーソナルコンピュータに取り込んで処理する技法が知られている。
【００３９】
【発明の効果】
本発明によれば、予め定められたメッシュシート上で撮影された魚が撮像手段を用いてデジタル符号化され、前記デジタル符号化された魚の画像から魚拓イメージを生成して出力するプロセス部を有し、前記プロセス部は、前記メッシュシートのメッシュを検出し、当該メッシュから撮像された魚の画像を原寸大に認識し、プリンタの解像度にあわせた画素数のメモリエリアに画像情報を格納し、更に当該画像情報を複数のブロックに分割するメッシュ化手段と、前記分割されたブロック単位に画像からシート及びメッシュの着色部分を取り除く処理を行う部分補正手段と、前記部分補正手段で処理された画像について特定値以上の画素値を抽出することで魚の形状を抽出する形状検出手段と、前記抽出された魚の画像の画素を多階調化するグレースケール処理手段と、前記多階調化された画像のエッジを強調するエッジ強調処理手段と、前記エッジ強調された画像のトーンを前記ブロック毎に補正するトーン補正手段と、ユーザからの入力に従って、前記トーン補正された画像をプリンタに出力するリアルモード、若しくは、前記トーン補正された画像を再度前記グレースケール処理手段、前記エッジ強調処理手段、前記トーン補正手段を用いて淡く加工した画像をプリンタに出力する魚拓モードが選択され、選択されたモードに従って画像に加工を施す編集手段とを備える魚拓システムとしているので、容易に魚拓を作成できる効果がある。
【００４０】
本発明によれば、編集手段は、プリンタ出力の際には、ＲＧＢの曲線に補正を施した上でＹＭＣＫに変換する上記魚拓システムとしているので、プリンタ出力の際にフラットに補正できる効果がある。
【００４３】
本発明によれば、プロセス部に、落款の印影を格納し、特定のパスワードの入力に応じて、魚の画像がプリンタで印刷される際に、前記印影を指定された箇所に印刷させる電子印鑑を設けた上記魚拓システムとしているので、パスワード入力により魚拓への落款の印影を印刷することで、魚拓作成者を資格のある第三者とすれば魚拓作成の信頼性を向上できる効果がある。
【図面の簡単な説明】
【図１】本発明の実施の形態に係る魚拓システムの構成ブロック図である。
【図２】シート１２の表面の説明図である。
【符号の説明】
１…撮像部、  ２…プロセス部、  ３…画像処理器、  １１…撮像手段、  １２…シート、  ２１…電子印鑑、  ２２…プリンタ、  ３１…メッシュ化手段、３２…部分補正手段、  ３３…形状検出手段、  ３４…グレースケール（ＧＳ）処理手段、  ３５…エッジ強調処理手段、  ３６…トーン補正手段、  ３７…編集手段
【図１】
0003824348.tif 000002
【図２】
0003824348.tif 000003